(57)【要約】【課題】毎月物の卓上カレンダーや各種の写真パネル類や商品のキャンペーン表示などの表示物を、上部の開口ｆから簡単に収容して表示する、表示物が左右にはみ出したりする恐れがない、また表示物が皺になったり曲ったりする恐れがない、板紙製やプラスチックシート製などの、１枚物のブランクを折込むだけで上部が開口ｆした偏平な収容部を形成することができる表示ケースを提供する。【解決手段】本発明は、表示窓ａを設けた正面板２の左右辺と下辺とに、裏面板４と折返し板５と後辺に舌状片ｂを連設した後傾保持板６とを、それぞれ折り目線ｃと狭幅板３と折り目線ｃとを介して連設して、この裏面板４の上辺に、舌状片ｂを繋止する横長孔ｄを設けた裏面支持板７を、谷折り線ｅを介して連設した、上部が開口ｆした偏平な収容部を後傾状態に保持する表示ケースである。【選択図】図１
2006208926.tif 000002
【特許請求の範囲】
【請求項１】
表示窓ａを設けた正面板２の左右辺と下辺とに、裏面板４と折返し板５と後辺に舌状片ｂを連設した後傾保持板６とを、それぞれ折り目線ｃと狭幅板３と折り目線ｃとを介して連設して、この裏面板４の上辺に、舌状片ｂを繋止する横長孔ｄを設けた裏面支持板７を、谷折り線ｅを介して連設した表示ケースであって、
全ての折り目線ｃ ,ｃ ,ｃ ,ｃ ,ｃ ,ｃを山折りして、上部が開口ｆした正面板２と狭幅板３ ,３ ,３と裏面板４とから成る偏平な収容部を形成した後に、裏面板４の上辺に連設した裏面支持板７を折倒して、この裏面支持板７の横長孔ｄに後傾保持板６の舌状片ｂを挿入して繋止して、上部が開口ｆした偏平な収容部を後傾状態に保持することを特徴とする表示ケース。
【請求項２】
請求項１に記載の表示ケースにおいて、裏面支持板７の横長孔ｄの左右端に、舌状片ｂがスライドする縦の切れ目ｈ ,ｈを設けて、この裏面支持板７の上部に、小孔を有する吊下げ片ｇを設けたことを特徴とする表示ケース。
【発明の詳細な説明】
【技術分野】
【０００１】
本発明は、毎月物の卓上カレンダーや各種の写真パネル類や商品のキャンペーン表示などの表示物を、上部の開口ｆから簡単に収容して表示する、板紙製やプラスチックシート製などの、１枚物のブランクを折込むだけで上部が開口ｆした偏平な収容部を形成することができる、工程が簡単で作製費用が廉価な表示ケースに関する。
【背景技術】
【０００２】
従来から、毎月物の卓上カレンダーや各種の写真パネル類や商品のキャンペーン表示などの表示物を収容して表示する、例えば図２Ａ ,Ｂに示す板紙製の、表示窓ａを設けた正面板２と狭幅板３と裏面板４と狭幅板３とを筒状に貼着するなどして、左右部が開口ｆ ,ｆした偏平な収容部を形成した後に、この偏平な収容部の裏面側に、通常の裏面貼着板ｉ
,ｉと裏面支持板ｊ ,ｊと繋止片ｋとから成る後傾保持部材８を装着するなどして、左右部が開口ｆ ,ｆした偏平な収容部を後傾状態に保持した表示ケースが、一般に広く用いられている。
【０００３】
また従来から、前述した表示物を挿入して表示する、例えば図３に示す透明なプラスチック製の、裏面押え板９と狭幅板３と正面板２と後傾保持底板１０とを順に連設して、正面板２が後傾状態になるように射出成形した表示ケースが、一般に広く用いられている。
【０００４】
特許文献は、特にありません。
【発明の開示】
【発明が解決しようとする課題】
【０００５】
ところが従来の、図２Ａ ,Ｂに示す板紙製の、左右部が開口ｆ ,ｆした偏平な収容部を後傾状態に保持した表示ケースについては、毎月物の卓上カレンダーや各種の写真パネル類や商品のキャンペーン表示などの表示物を、左右部の開口ｆ ,ｆから簡単に収容して表示することができるものの、収容した表示物を押えるなどして固定していないために、表示ケースが振動したり傾いたりした時などに、表示物が左右にはみ出したりして、その表示効果などを損なう恐れがあった。
【０００６】
また従来の、図３に示す透明なプラスチック製の、正面板２が後傾状態になるように射出成形した表示ケースについては、前述した表示物を、左右部から正面板２と裏面押え板９との間に挿入して表示することができるものの、正面板２を裏面押え板９がやゝ強く押えているために、挿入した表示物を入替える時などに、表示物が皺になったり曲ったりして、その表示効果などを損なう恐れがあった。
【０００７】
そこで、本発明の目的は、毎月物の卓上カレンダーや各種の写真パネル類や商品のキャンペーン表示などの表示物を、上部の開口ｆから簡単に収容して表示する、表示物が左右にはみ出したりする恐れがない、また表示物が皺になったり曲ったりする恐れがない、板紙製やプラスチックシート製などの、１枚物のブランクを折込むだけで上部が開口ｆした偏平な収容部を形成することができる、工程が簡単で作製費用が廉価な表示ケースを提供することにある。
【課題を解決するための手段】
【０００８】
本発明の表示ケースは、図１Ａに示すように、表示窓ａを設けた正面板２の左右辺と下辺とに、裏面板４と折返し板５と後辺( 図１Ａでは下辺 )に舌状片ｂを連設した後傾保持板６とを、それぞれ折り目線ｃと狭幅板３と折り目線ｃとを介して連設して、この裏面板
４の上辺に、舌状片ｂを繋止する横長孔ｄを設けた裏面支持板７を、谷折り線ｅを介して連設した表示ケースであって、
全ての折り目線ｃ ,ｃ ,ｃ ,ｃ ,ｃ ,ｃを山折りして、図１Ｂ ,Ｃに示す上部が開口ｆした正面板２と狭幅板３ ,３ ,３と裏面板４とから成る偏平な収容部を形成した後に、図１Ｂ ,Ｃに示すように、裏面板４の上辺に連設した裏面支持板７を折倒して、この裏面支持板７の横長孔ｄに後傾保持板６の舌状片ｂを挿入して繋止して、上部が開口ｆした偏平な収容部を後傾状態に保持することを特徴とする表示ケースである。
【０００９】
本発明の表示ケースにおいては、後述する実施例１に示すように、美麗な印刷をした適宜の板紙やプラスチックシートなどを用いて、通常の打抜型を用いた打抜工程で、前述した図１Ａに示す表示ケースの、無駄が少ない１枚物のブランクを作製して、簡単な手作業又は機械工程で、全ての折り目線ｃ ,ｃ ,ｃ ,ｃ ,ｃ ,ｃを山折りして、正面板２の裏面側に、狭幅板３ ,３ ,３を折立てて、裏面板４と折返し板５と後傾保持板６とを順に折込むだけで、図１Ｂ ,Ｃに示す上部が開口ｆした正面板２と狭幅板３ ,３ ,３と裏面板４とから成る偏平な収容部を形成した後に、
毎月物の卓上カレンダーや各種の写真パネル類や商品のキャンペーン表示などの表示物を収容して表示する時に、裏面板４の上辺に連設した裏面支持板７を折倒して、この裏面支持板７の横長孔ｄに後傾保持板６の舌状片ｂを挿入して繋止して、上部が開口ｆした偏平な収容部を、図１Ｂ ,Ｃに示す後傾状態に保持することができる、工程が簡単で作製費用が廉価な表示ケースを得ることができる。
【００１０】
しかも、図１Ｂ ,Ｃに示す本発明の、上部が開口ｆした偏平な収容部を後傾状態に保持することができる表示ケースにおいては、偏平な収容部を構成する狭幅板３ ,３ ,３が、収容する表示物の厚さに相当する、正面板２と裏面板４との間隔を適正に保持しているために、前述した表示物を、上部の開口ｆから簡単に収容して表示することができる、表示物が皺になったり曲ったりする恐れがない、また前述した表示物を、上部の開口ｆから収容して表示するために、表示物が左右にはみ出したりする恐れがない、その表示効果などが優れた表示ケースを得ることができる。
【００１１】
加えて、本発明の表示ケースは、図１Ａ ,Ｃに示すように、裏面支持板７の横長孔ｄの左右端に、舌状片ｂがスライドする縦の切れ目ｈ ,ｈを設けて、この裏面支持板７の上部( 図１Ａでは下部 )に、小孔を有する吊下げ片ｇを設けたことを特徴とする表示ケースである。
【００１２】
本発明の表示ケースにおいては、裏面支持板７の横長孔ｄの左右端に、舌状片ｂがスライドする縦の切れ目ｈ ,ｈを設けて、この裏面支持板７の上部に、小孔を有する吊下げ片ｇを設けたことによって、毎月物の卓上カレンダーや各種の写真パネル類や商品のキャンペーン表示などの表示物を収容して表示する時に、裏面板４の上辺に連設した裏面支持板７を折倒して、この裏面支持板７の横長孔ｄに後傾保持板６の舌状片ｂを挿入して繋止した後に、裏面支持板７の横長孔ｄの左右端の縦の切れ目ｈ ,ｈに、挿入して繋止した後傾保持板６の舌状片ｂをスライドさせて、折倒した裏面支持板７を、上部が開口ｆした偏平な収容部に密着させた状態で、この裏面支持板７の上部の小孔を有する吊下げ片ｇを引き起して、そのまま吊下げて表示することができる、その表示効果などが優れた表示ケースを得ることができる。
【００１３】
また、本発明の表示ケースにおいては、裏面支持板７の横長孔ｄの左右端に、舌状片ｂがスライドする縦の切れ目ｈ ,ｈを設けたことによって、前述した表示物を収容して表示する以前に、簡単な手作業などで、裏面板４の上辺に連設した裏面支持板７を折倒して、この裏面支持板７の横長孔ｄに後傾保持板６の舌状片ｂを挿入して繋止した後に、同様に裏面支持板７の横長孔ｄの左右端の縦の切れ目ｈ ,ｈに、挿入して繋止した後傾保持板６
の舌状片ｂをスライドさせて、折倒した裏面支持板７を、上部が開口ｆした偏平な収容部に密着させた嵩張らない状態で保管することができるために、家庭や店頭などで、前述した表示物を収容して表示する時に、密着させた裏面支持板７を後退させるだけで、簡単に上部が開口ｆした偏平な収容部を後傾状態に保持することができる、その表示効果などが優れた表示ケースを得ることができる。
【発明の効果】
【００１４】
以上、本発明の表示ケースにおいては、毎月物の卓上カレンダーや各種の写真パネル類や商品のキャンペーン表示などの表示物を、上部の開口ｆから簡単に収容して表示する、板紙製やプラスチックシート製などの、１枚物のブランクを折込むだけで上部が開口ｆした偏平な収容部を形成した後に、簡単に後傾状態に保持することができる、工程が簡単で作製費用が廉価な表示ケースであって、
前述した表示物を、上部の開口ｆから簡単に収容して表示することができるために、表示物が皺になったり曲ったりする恐れがない、また前述した表示物を、上部の開口ｆから収容して表示するために、表示物が左右にはみ出したりする恐れがない、その表示効果などが優れた表示ケースを提供することができる。
【発明を実施するための最良の形態】
【００１５】
以下、実施例１に示すとおりである。
【実施例１】
【００１６】
図１Ａは、本発明の実施例１における、表示ケースのブランクの平面図であって、図１Ｂ ,Ｃは、後傾状態に保持した表示ケースの斜視図である。
【００１７】
すなわち、９２×１４８ｍｍの表示窓ａを設けた正面板２の左右辺と下辺とに、裏面板４と折返し板５と後辺( 図１Ａでは下辺 )に舌状片ｂを連設した後傾保持板６とを、それぞれ折り目線ｃと４ｍｍ幅の狭幅板３と折り目線ｃとを介して連設して、この裏面板４の上辺に、舌状片ｂを繋止する横長孔ｄを設けた裏面支持板７を、谷折り線ｅを介して連設して、裏面支持板７の横長孔ｄの左右端に、舌状片ｂがスライドする縦の切れ目ｈ ,ｈを設けて、この裏面支持板７の上部( 図１Ａでは下部 )に、小孔を有する吊下げ片ｇを設けた、図１Ａに示す表示ケースのブランクであって、美麗な印刷をした３５０ｇ／ｍ2の裏白コートボール紙を用いて、通常の打抜型を用いた打抜工程で、無駄が少ない１枚物の表示ケースのブランクを作製した。
【００１８】
次に、機械的な折込み工程で、図１Ａに示す表示ケースのブランクの、全ての１点鎖線で示す折り目線ｃ ,ｃ ,ｃ ,ｃ ,ｃ ,ｃを山折りして、正面板２の裏面側に、４ｍｍ幅の狭幅板３ ,３ ,３を折立てて、裏面板４と折返し板５と後傾保持板６とを順に折込んで、図１Ｂ ,Ｃに示す上部が開口ｆした正面板２と狭幅板３ ,３ ,３と裏面板４とから成る、厚さと横と高さとが４×１７８×１３２ｍｍの、１２枚物の卓上カレンダーを収容する偏平な収容部を形成した後に、簡単な手作業で、破線で示す谷折り線ｅを谷折りして、裏面板４の上辺に連設した裏面支持板７を折倒して、この裏面支持板７の横長孔ｄに後傾保持板６の舌状片ｂを挿入して繋止したところ、図１Ｂ ,Ｃに示す本実施例の、上部が開口ｆした偏平な収容部を後傾状態に保持した表示ケースが得られた。
【００１９】
また、機械的な折込み工程で、前述と同様に、厚さと横と高さとが４×１７８×１３２ｍｍの、１２枚物の卓上カレンダーを収容する偏平な収容部を形成した後に、簡単な手作業で、同様に破線で示す谷折り線ｅを谷折りして、裏面板４の上辺に連設した裏面支持板７を折倒して、この裏面支持板７の横長孔ｄに後傾保持板６の舌状片ｂを挿入して繋止して、裏面支持板７の横長孔ｄの左右端の縦の切れ目ｈ ,ｈに、挿入して繋止した後傾保持板６の舌状片ｂをスライドさせたところ、図示していない本実施例の、折倒した裏面支持
板７を、上部が開口ｆした偏平な収容部に密着させた表示ケースが得られた。
【００２０】
図１Ｂ ,Ｃに示す本実施例の、上部が開口ｆした偏平な収容部を後傾状態に保持した表示ケースにおいては、厚さと横と高さとが４×１７８×１３２ｍｍの偏平な収容部を構成する、４ｍｍ幅の狭幅板３ ,３ ,３が、収容する１２枚物の卓上カレンダーの厚さに相当する、正面板２と裏面板４との間隔を適正に保持しているために、前述した卓上カレンダーを、上部の開口ｆから簡単に収容して表示することができる、１２枚物の卓上カレンダーの１枚を入替える時などに、１枚の卓上カレンダーが皺になったり曲ったりする恐れがない、また前述した卓上カレンダーを、上部の開口ｆから収容して表示するために、卓上カレンダーが左右にはみ出したりする恐れがない、卓上カレンダーの表示効果などが優れた表示ケースを得ることができた。
【００２１】
また図示していない本実施例の、折倒した裏面支持板７を、上部が開口ｆした偏平な収容部に密着させた表示ケースにおいては、前述した卓上カレンダーを、同様に上部の開口ｆから簡単に収容して、密着させた裏面支持板７の上部の小孔を有する吊下げ片ｇを引き起して、そのまま吊下げて表示することができる、また密着させた裏面支持板７を後退させるだけで、簡単に上部が開口ｆした偏平な収容部を後傾状態に保持して表示することができる、家庭や店頭などで手間が係らず嵩張ることがない、卓上カレンダーの表示効果などが優れた表示ケースを得ることができた。
【００２２】
なお、本実施例の表示ケースにおける、正面板２に設けた表示窓ａについては、１２枚物の卓上カレンダーを表示する、９２×１４８ｍｍの角を丸めた長方形状の表示窓ａを正面板２に設けたが、図示していない楕円形状やハート形状や上方を開放した長方形状などの、１２枚物の卓上カレンダー以外の、各種の写真パネル類や商品のキャンペーン表示などの表示物に適合する表示窓ａを、正面板２に設けることができる。また正面板２に、特に上方を開放した長方形状などの表示窓ａを設けた時には、商品のキャンペーン表示などを、表示ケースの上方に大きくはみ出して表示することもできる。
【図面の簡単な説明】
【００２３】
【図１】本発明の実施例１における、図１Ａは、表示ケースのブランクの平面図であって、図１Ｂ ,Ｃは、後傾状態に保持した表示ケースの斜視図である。
【図２】図２Ａ ,Ｂは、従来の、後傾状態に保持した表示ケースの斜視図である。
【図３】従来の、後傾状態になるように射出成形した表示ケースの斜視図である。
【符号の説明】
【００２４】
２    …正面板
３    …狭幅板
４    …裏面板
５    …折返し板
６    …後傾保持板
７    …裏面支持板
８    …後傾保持部材
９    …裏面押え板
１０  …後傾保持底板
ａ    …表示窓
ｂ    …舌状片
ｃ    …折り目線
ｄ    …横長孔
ｅ    …谷折り線
ｆ    …開口
ｇ    …吊下げ片
ｈ    …切れ目
ｉ    …裏面貼着板
ｊ    …裏面支持板
ｋ    …繋止片
【図１】
2006208926.tif 000003
【図２】
2006208926.tif 000004
【図３】
2006208926.tif 000005